(57)【要約】【課題】  静止画撮影に連動して静止画撮影直前の待機中に撮像した画像を動画として記録する撮像装置において、不要なシーンにおける静止画と動画を簡単に削除できるようにすることを可能にした撮像装置を提供すること。【解決手段】  動画像を生成して蓄積記憶し、撮影指示に応じて、静止画像を生成して蓄積記憶およびプレビュー表示すると共に、生成した静止画と共に蓄積記憶した静止画撮影直前の所定期間の動画像を記録媒体に記録する撮像装置において、静止画撮影後のプレビュー表示中に静止画削除指示があった場合、プレビュー表示中の静止画像および静止画撮影直前の動画像を削除することを特徴とする構成とした。【選択図】  図２
2013009125.tif 000002
【特許請求の範囲】
【請求項１】
被写体像を撮像する撮像手段と、
撮像手段の出力を連続的に読み出して動画像を生成する動画像生成手段と、
撮像手段の出力を読み出して静止画像を生成する静止画像生成手段と、
撮影した画像のプレビューを表示する表示手段と、
静止画像および動画像を蓄積記憶する記憶手段と、
蓄積記憶した静止画像および動画像を記録媒体に記録する記録手段と、
静止画像の撮影指示を行う撮影指示手段と、
静止画像の削除指示を行う削除指示手段とを備え、
動画像を生成して蓄積記憶し、撮影指示に応じて、静止画像を生成して蓄積記憶およびプレビュー表示すると共に、生成した静止画と共に蓄積記憶した静止画撮影直前の所定期間の動画像を記録媒体に記録する撮像装置において、
静止画撮影後のプレビュー表示中に静止画削除指示があった場合、プレビュー表示中の静止画像および静止画撮影直前の動画像を削除することを特徴とする撮像装置。
【請求項２】
被写体像を撮像する撮像手段と、
撮像手段の出力を連続的に読み出して動画像を生成する動画像生成手段と、
撮像手段の出力を読み出して静止画像を生成する静止画像生成手段と、
撮影した画像のプレビューを表示する表示手段と、
静止画像および動画像を蓄積記憶する記憶手段と、
蓄積記憶した静止画像および動画像を記録媒体に記録する記録手段と、
静止画像の撮影指示を行う撮影指示手段と、
静止画像の削除指示を行う削除指示手段とを備え、
動画像を生成して蓄積記憶し、撮影指示に応じて、静止画像を生成して蓄積記憶すると共に、生成した静止画と共に蓄積記憶した静止画撮影直前の所定期間の動画像を記録媒体に記録した後、静止画撮影後のプレビュー表示を行う撮像装置において、
静止画撮影後のプレビュー表示中に静止画削除指示があった場合、記録媒体に記録済みのプレビュー表示中の静止画像および静止画撮影直前の動画像を記録媒体から削除することを特徴とする撮像装置。
【請求項３】
被写体像を撮像する撮像手段と、
撮像手段の出力を連続的に読み出して動画像を生成する動画像生成手段と、
撮像手段の出力を読み出して静止画像を生成する静止画像生成手段と、
撮影した画像のプレビューを表示する表示手段と、
静止画像および動画像を蓄積記憶する記憶手段と、
蓄積記憶した静止画像および動画像を記録媒体に記録する記録手段と、
静止画像の撮影指示を行う撮影指示手段と、
静止画像の削除指示を行う削除指示手段とを備え、
動画像を生成して蓄積記憶し、撮影指示に応じて、静止画像を生成して蓄積記憶およびプレビュー表示すると共に、生成した静止画と共に蓄積記憶した静止画撮影直前の所定期間の動画像を記録媒体に記録する撮像装置において、
静止画撮影後のプレビュー表示中に静止画削除指示があった場合、記憶手段に蓄積記憶されているプレビュー表示中の静止画像および静止画撮影直前の動画像を記録媒体に記録しないことを特徴とする撮像装置。
【請求項４】
被写体像を撮像する撮像手段と、
撮像手段の出力を連続的に読み出して動画像を生成する動画像生成手段と、
撮像手段の出力を読み出して静止画像を生成する静止画像生成手段と、
撮影した画像のプレビューを表示する表示手段と、
静止画像および動画像を蓄積記憶する記憶手段と、
蓄積記憶した静止画像および動画像を記録媒体に記録する記録手段と、
静止画像の撮影指示を行う撮影指示手段と、
静止画像の削除指示を行う削除指示手段とを備え、
動画像を生成して蓄積記憶し、撮影指示に応じて、静止画像を生成して蓄積記憶およびプレビュー表示すると共に、生成した静止画と共に蓄積記憶した静止画撮影直前の所定期間の動画像を記録媒体にすでに記録済みの動画ファイルに追加記録する撮像装置において、
静止画撮影後のプレビュー表示中に静止画削除指示があった場合、撮影した静止画像を削除するとともに、記憶手段に蓄積されている静止画撮影直前の動画像を記録媒体にすでに記録済みの動画ファイルに追加記録しないことを特徴とする撮像装置。
【発明の詳細な説明】
【技術分野】
【０００１】
本発明は撮像装置に関し、特に静止画撮影に連動して静止画撮影直前に撮像した画像を動画として記録する撮像装置に関するものである。
【背景技術】
【０００２】
従来、動画記録中に同時に静止画を撮影することが可能な撮像装置や、静止画撮影に連動して直前や直後の画像を動画として記録することが可能な撮像装置が知られており、ユーザは気軽に同じシーンにおける静止画と動画を撮影できる。
【０００３】
このような撮像装置において、動画と静止画をＧＰＳによる位置情報や日時情報に基づいて関連付け、消去候補となる動画および静止画を選別することで、不要なデータの消去に関するユーザビリティを高めることができる画像処理装置が提案されている（特許文献１）。特許文献１では、動画記録中に静止画も撮影した場合、ユーザにとって重要なシーンである可能性が高いと判断し、記録中に静止画撮影されていない動画のみを消去候補とすることで、消去に関するユーザビリティを高めている。また、静止画に関しては、動画記録中に撮影された静止画は動画から復元可能であると判断して、動画記録中に撮影された静止画を消去候補とすることで、同様に消去に関するユーザビリティを高めている。
【先行技術文献】
【特許文献】
【０００４】
【特許文献１】特開２０１０−１２４３２３号公報
【発明の概要】
【発明が解決しようとする課題】
【０００５】
しかし、上述の特許文献に開示された従来技術は、メディアの空き容量を確保するために、重要性の低いと思われる動画および静止画を消去候補として選別するというものであり、失敗画像のように本当に不要な画像を消去する際のユーザビリティに関しては考慮されていない。同一シーンの動画と静止画を同時に記録した際に、失敗画像であった場合、動画・静止画ともに不要である可能性が高く、容易に一緒に消去できるのが望ましい。また、消去候補を選別するために動画と静止画を関連付ける情報を持つ必要があり、それに基づいた検索処理も必要となるため、処理が複雑になり処理時間も長くなってしまうことが考えられる。さらに、複数の動画を連結して一つの動画ファイルとして記録するような場合においては、不要なシーンを連結記録後に消去することになるため、動画ファイルの編集操作が必要となり容易に消去することができない。
【０００６】
そこで、本発明の目的は、撮影した静止画のプレビュー中に削除を指示した場合には、一緒に記録されるはずの動画を同時に削除することで、不要な動画と静止画を簡単に同時に削除することを可能にした撮像装置を提供することである。
【課題を解決するための手段】
【０００７】
上記目的を達成するために、本発明の撮像装置は、被写体像を撮像する撮像手段と、撮像手段の出力を連続的に読み出して動画像を生成する動画像生成手段と、撮像手段の出力を読み出して静止画像を生成する静止画像生成手段と、撮影した画像のプレビューを表示する表示手段と、
静止画像および動画像を蓄積記憶する記憶手段と、蓄積記憶した静止画像および動画像を記録媒体に記録する記録手段と、静止画像の撮影指示を行う撮影指示手段と、静止画像の削除指示を行う削除指示手段とを備え、動画像を生成して蓄積記憶し、撮影指示に応じて、静止画像を生成して蓄積記憶およびプレビュー表示すると共に、生成した静止画と共に蓄積記憶した静止画撮影直前の所定期間の動画像を記録媒体に記録する撮像装置において、静止画撮影後のプレビュー表示中に静止画削除指示があった場合、プレビュー表示中の静止画像および静止画撮影直前の動画像を削除することを特徴とする。
【発明の効果】
【０００８】
本発明によれば、不要な動画と静止画を簡単に同時に削除することを可能にした撮像装置を提供することができる。
【図面の簡単な説明】
【０００９】
【図１（ａ）】本実施例の撮像装置の外観図である。
【図１（ｂ）】本実施例の撮像装置の構成ブロック図である。
【図２】実施例１における静止画および動画撮影処理の動作を示すフローチャートである。
【図３】実施例２における静止画および動画撮影処理の動作を示すフローチャートである。
【発明を実施するための形態】
【００１０】
以下、本発明の好適な一実施形態について、添付図面を参照して詳細に説明する。
【００１１】
図１（ａ）に本発明が実施されうる撮像装置の外観図を示す。表示部１３は画像や各種情報を表示する表示部である。コネクタ１１２は接続ケーブルと撮像装置１０とをつなぐコネクタである。操作部１４はユーザーからの各種操作を受け付ける各種スイッチ、ボタン、タッチパネル等の操作部材より成る操作部である。記録媒体は２０はメモリカードやハードディスク等の記録媒体である。記録媒体スロット２０１は記録媒体２０を格納するためのスロットである。記録媒体スロット２０１に格納された記録媒体２０は、撮像装置１０との通信が可能となる。蓋２０３は記録媒体スロット２０１の蓋である。
【００１２】
図１（ｂ）は本発明が実施されうる撮像装置１０の構成例を示している。図示のように、撮像装置１０は内部バス３０で接続されたＣＰＵ（中央演算装置）１１、ＲＯＭ１２、表示部１３、操作部１４、ＤＲＡＭ１５、記録媒体Ｉ／Ｆ１６、撮像部１７、画像処理回路１８、画像圧縮伸張回路１９を備えている。
【００１３】
１１は後述する各処理部やデータフローなどを制御するためのＣＰＵである。１２は、ＣＰＵ１１の処理手順に係るプログラム（ファームウェア）や各種情報を記憶しているＲＯＭである。
【００１４】
１３はカラー液晶表示器等で構成される表示部であり、画像を再生表示したり、グラフィックユーザインタフェースを表示したり、撮影時のプレビュー表示するために用いる。なお、表示部１３は、ＴＶ等の外部表示装置に映像信号を出力する端子も備えている。
【００１５】
１４はユーザからの指示を受け付けるための入力部であり、シャッターボタンを含む各種ボタンや十字キー、コントロールホイール、ダイヤルスイッチなどである。
【００１６】
１５はＤＲＡＭであり、ＣＰＵ１１のワークエリアとして使用され、画像データや表示用データ、画像圧縮後のデータなどを一時的に蓄えるバッファー機能を有する。通常は、ＤＲＡＭとの間にメモリーコントローラを介しデータの書き込みや読み出しを行うが、ここでは示していない。また、図示しないが、各処理部とＤＲＡＭ１５間には、ＣＰＵとのＲｅａｄ／Ｗｒｉｔｅを介さないＤＭＡ転送を行うためのＤＭＡコントローラを備えている。
【００１７】
１６は画像データをＣＦ（Ｃｏｍｐａｃｔ  Ｆｌａｓｈ）カードやＳＤ（Ｓｅｃｕｒｅ  Ｄｉｇｉｔａｌ）カードなどの記録媒体へ書き込んだり、読み出したりするための記録媒体インタフェースである。２０は上述したＣＦカードやＳＤカードなどの脱着可能な記録媒体である。なお、使用する記録媒体は、ランダムアクセス可能な記録媒体であればその種類は問わない。例えば、光ディスク（ＤＶＤ）やハードディスクでも構わない。
【００１８】
１７はレンズ、絞りやシャッター、ＣＣＤセンサーやＣＭＯＳセンサー等の撮像素子からなり、被写体を撮像する撮像部である。
【００１９】
１８は上述の画像圧縮伸張回路で圧縮される前のＹＵＶデータや伸張されたＹＵＶデータを任意のサイズにリサイズしたり、回転したり、色変換したりする画像処理回路である。
【００２０】
１９はＹＵＶデータをＪＰＥＧやＨ．２６４形式の画像データに圧縮したり、ＪＰＥＧやＨ．２６４形式の圧縮された画像データをＹＵＶデータに伸張する画像圧縮伸張回路である。
【００２１】
［実施例１］
以下、図２のフローチャートを用いて、実施例１における撮像装置１０の静止画および動画撮影動作におけるＣＰＵ１１の処理について説明する。本実施例では、静止画撮影時に静止画とともに静止画撮影直前にバッファに記憶された所定時間分の動画を同時に記録する撮影モードでの動作について説明する。ここでは、ＣＰＵ１１が静止画および動画撮影制御の機能を有しており、ＣＰＵ１１が図１（ｂ）の各処理部を制御することにより静止画および動画撮影動作が実行される。
【００２２】
図２は、実施例１における静止画および動画撮影処理のフローチャートである。
【００２３】
操作部１４のモードダイアルの操作により、撮影モード開始が指示されると、ステップＳ１０１において、ＣＰＵ１１は、動画のバッファリングおよびライビュー表示するために、撮像部１７により動画フレームのキャプチャを行う。
【００２４】
ステップＳ１０１において動画フレームのキャプチャがなされると、ステップＳ１０２において、ＣＰＵ１１は、画像処理回路１８を用いて、表示部１３にライブビュー表示するための電子ファインダー表示用データを生成し、ＤＲＡＭ１５に書き込む。ここでは、画像処理回路１８を用いて、画素補間処理や色変換処理、リサイズ処理等が行われる。
【００２５】
ステップＳ１０３において、ＣＰＵ１１は、画像処理回路１８を用いてキャプチャされた動画フレーム画像データに動画記録サイズへのリサイズ等の画像処理を施した後、画像圧縮伸張回路１９を用いてＭＰＥＧやＭｏｔｉｏｎＪＰＥＧ形式で圧縮する。
【００２６】
続いて、ステップＳ１０４において、ＣＰＵ１１は、ステップＳ１０３において圧縮された動画データを、ＤＲＡＭ１５上の動画バッファ領域に記憶する。
【００２７】
電子ファインダー表示用データと圧縮動画データが生成されたら、ステップＳ１０５において、ＣＰＵ１１は、表示部１３のライブビュー表示の更新を行う。
【００２８】
ステップＳ１０５において、ライブビュー表示の更新がなされたら、ステップＳ１０６において、ＣＰＵ１１は、操作部１４のＳＷ２の押下により静止画撮影指示がなされているかを判定する。
【００２９】
ステップＳ１０６において、静止画撮影指示がなされていないと判定されたなら、ステップＳ１０１に戻り、次の動画フレームの処理を続ける。
【００３０】
ステップＳ１０６において、静止画撮影指示がなされたと判定されたなら、ステップＳ１０７において、ＣＰＵ１１は、動画のバッファリングを停止して、撮像部１７により静止画フレームのキャプチャを行う。
【００３１】
次に、ステップＳ１０８において、ＣＰＵ１１は、画像処理回路１８を用いてステップＳ１０７においてキャプチャされた静止画フレーム画像データに画素補間処理や色変換処理、リサイズ処理等の画像処理を施した後、画像圧縮伸張回路１９を用いてＪＰＥＧ形式で圧縮する。
【００３２】
続いて、ステップＳ１０９において、ＣＰＵ１１は、ステップＳ１０８において圧縮された静止画データを、ＤＲＡＭ１５上の静止画バッファ領域に記憶する。
【００３３】
ステップＳ１１０において、ＣＰＵ１１は、ＤＲＡＭ１５上の静止画バッファ領域に記憶されている圧縮静止画データにヘッダ情報等を付加し、静止画ファイルとして記録媒体インタフェース１６を介して、ＳＤカードなど記録媒体２０に記録する。
【００３４】
続いて、ステップＳ１１１において、ＣＰＵ１１は、ＤＲＡＭ１５上の動画バッファ領域に記憶されている圧縮動画データにヘッダ情報等を付加し、動画ファイルとして記録媒体インタフェース１６を介して、ＳＤカードなど記録媒体２０に記録する。
【００３５】
静止画ファイルと動画ファイルが記録媒体２０に記録されたら、ステップＳ１１２において、ＣＰＵ１１は、表示部１３にステップＳ１０７においてキャプチャされた静止画フレーム画像データの撮影プレビューを表示する。
【００３６】
ステップＳ１１２において、撮影プレビュー表示がなされたら、ステップＳ１１３において、ＣＰＵ１１は、操作部１４のボタン操作により、現在撮影プレビュー表示中の静止画の消去指示がなされているかを判定する。
【００３７】
ステップＳ１１３において、静止画消去指示がなされていたなら、ステップＳ１１４において、ＣＰＵ１１は、ステップＳ１１０において記録媒体２０に記録された静止画ファイルを、記録媒体２０から消去する。
【００３８】
続いて、ステップＳ１１５において、ＣＰＵ１１は、ステップＳ１１１において記録媒体２０に記録された動画ファイルも同様に、記録媒体２０から消去し、静止画および動画撮影処理を終了する。
【００３９】
ステップＳ１１３において、静止画消去指示がなされていなかったなら、静止画および動画撮影処理を終了する。
【００４０】
以上のようにすることで、撮影した静止画のプレビュー中に削除を指示した場合には、一緒に記録されるはずの動画を同時に削除することができるため、同一シーンの動画と静止画を同時に記録する場合において、失敗画像を消去する際のユーザビリティを高めることができる。また、撮影後のプレビュー中に削除するようにしたことで、静止画と動画の関連付けが不要なため、関連付けるための情報を持ったり関連する画像を検索する必要がなく、簡単な処理で実現可能となる。
【００４１】
［実施例２］
以下、図３のフローチャートを用いて、実施例２における撮像装置１０の静止画および動画撮影動作におけるＣＰＵ１１の処理について説明する。本実施例では、静止画撮影時に静止画とともに静止画撮影直前にバッファに記憶された所定時間分の動画を同時に記録し、さらに動画に関しては、一つの動画ファイルとして連結記録する撮影モードでの動作について説明する。ここでは、ＣＰＵ１１が静止画および動画撮影制御の機能を有しており、ＣＰＵ１１が図１（ｂ）の各処理部を制御することにより静止画および動画撮影動作が実行される。
【００４２】
図３は、実施例２における静止画および動画撮影処理のフローチャートである。
【００４３】
ステップＳ２０１からステップＳ２０９の処理は、実施例１におけるステップＳ１０１からステップＳ１０９の処理と同様のためここでは説明を省略する。
【００４４】
静止画データが静止画バッファ領域に記憶されたら、ステップＳ２１０において、ＣＰＵ１１は、表示部１３にステップＳ２０７においてキャプチャされた静止画フレーム画像データの撮影プレビューを表示する。
【００４５】
ステップＳ２１０において、撮影プレビュー表示がなされたら、ステップＳ２１１において、ＣＰＵ１１は、操作部１４のボタン操作により、現在撮影プレビュー表示中の静止画の消去指示がなされているかを判定する。
【００４６】
ステップＳ２１１において、静止画消去指示がなされていたなら、ＣＰＵ１１は、ステップＳ２０９、Ｓ２０４においてＤＲＡＭ１５上のバッファ領域に記憶された静止画データおよび動画データを記録媒体２０に記録せずに静止画および動画撮影処理を終了する。
【００４７】
ステップＳ２１１において、静止画消去指示がなされていなかったなら、ステップＳ２１２において、ＣＰＵ１１は、静止画バッファ領域に記憶されている圧縮静止画データにヘッダ情報等を付加し、静止画ファイルとしてＳＤカードなど記録媒体２０に記録する。
【００４８】
続いて、ステップＳ２１３において、ＣＰＵ１１は、記録媒体２０に追記可能な動画ファイルが記録されているかどうかを判定する。
【００４９】
ステップＳ２１３において、追記可能な動画ファイルが存在したなら、ステップＳ２１４において、ＣＰＵ１１は、動画バッファ領域に記憶されている圧縮動画データを、記録媒体２０上の動画ファイルに追記し、ヘッダ情報を更新して、静止画および動画撮影処理を終了する。
【００５０】
ステップＳ２１３において、追記可能な動画ファイルが存在しなかったなら、ステップＳ２１５において、ＣＰＵ１１は、動画バッファ領域に記憶されている圧縮動画データにヘッダ情報等を付加し、新規動画ファイルとして、ＳＤカードなど記録媒体２０に記録する。動画ファイルが記録媒体２０に記録されたら、静止画および動画撮影処理を終了する。
【００５１】
実施例１と同様に、撮影した静止画のプレビュー中に削除を指示した場合には、一緒に記録されるはずの動画を同時に削除することができるため、同一シーンの動画と静止画を同時に記録する場合において、失敗画像を消去する際のユーザビリティを高めることができる。また、撮影後のプレビュー中に削除するようにしたことで、静止画と動画の関連付けが不要なため、関連付けるための情報を持ったり関連する画像を検索する必要がなく、簡単な処理で実現可能となる。
【００５２】
さらに、実施例２では、動画データを記録媒体に記録前に削除可能であるため、動画を連結して一つの動画ファイルとして記録するような場合においても連結記録前に削除でき、動画ファイルの編集操作が不要であるため、失敗画像を消去する際のユーザビリティを高めることができる。
【００５３】
以上、本発明の好ましい実施形態について説明したが、本発明はこれらの実施形態に限定されず、その要旨の範囲内で種々の変形および変更が可能である。
【符号の説明】
【００５４】
１０：撮像装置
１１：ＣＰＵ（中央演算装置）
１２：ＲＯＭ
１３：表示部
１４：操作部
１５：ＤＲＡＭ
１６：記録媒体Ｉ／Ｆ
１７：撮像部
１８：画像処理回路
１９：画像圧縮伸張回路
２０：記録媒体
３０：内部バス
【図１（ａ）】
2013009125.tif 000003
【図１（ｂ）】
2013009125.tif 000004
【図２】
2013009125.tif 000005
【図３】
2013009125.tif 000006